(57)【特許請求の範囲】
【請求項１】
室外機の熱交換器に吸い込まれる外気の温度を検知するサーミスタと、
前記熱交換器の周縁部と係合可能な引掛け部と前記サーミスタを固定するための台座とこの台座間を含む複数箇所に形成された縦長スリット状および横長スリット状の通気孔とを有し、前記引掛け部を前記熱交換器の周縁部と係合させることで、該熱交換器の外気吸引側に配置され、前記台座に前記サーミスタを固定することで、該サーミスタを前記通気孔を通って前記熱交換器に吸い込まれる外気の流れに対し交差する向きに配置するホルダ本体と、複数箇所に設けられた横長スリット状の通気孔を有し、前記熱交換器の外側へ回動可能に前記ホルダ本体に結合されて前記サーミスタの前面を保護するカバーと、から構成されるサーミスタのホルダと、
を備えたことを特徴とする空気調和機の室外ユニット。
【請求項２】
前記サーミスタのホルダは、前記カバーが前記ホルダ本体の下縁部にヒンジ結合されて縦方向に回動可能であるともに、前記カバーの自由端に設けられ、該カバーを閉じた状態で、前記室外機のトップパネル周縁部の内側に係合可能となる突起を備えたことを特徴とする請求項１記載の空気調和機の室外ユニット。
【請求項３】
前記サーミスタのホルダは、前記ホルダ本体と前記カバーの合わせ目に形成され、前記サーミスタのリード線の保護チューブを引き出す引き出し部を備え、該引き出し部のホルダ本体とカバーによって前記保護チューブを挾持することを特徴とする請求項１又は請求項２記載の空気調和機の室外ユニット。
【請求項４】
前記サーミスタのホルダは、前記ホルダ本体に一体的に設けられ、前記熱交換器のサイドプレートと係合して前記ホルダ本体の左右方向の位置決めを行う位置決め部を備えたことを特徴とする請求項１乃至請求項３のいずれかに記載の空気調和機の室外ユニット。
【発明の詳細な説明】
【技術分野】
【０００１】
本発明は、空気調和機の室外ユニット、特に室外機の熱交換器に吸い込まれる外気の温度を検知するサーミスタの取付け構造に関する。
【背景技術】
【０００２】
従来より、外気温度の検知機能を備えた空気調和機の室外ユニットが知られている。例えば、室外機の熱交換器の周縁部と係合可能な係止部を有するホルダの下面に、熱交換器に吸い込まれる風の流れに平行となるようにサーミスタを取り付けるとともに、薄肉状のセルフヒンジにより回動可能にホルダと一体化された通気孔付きカバーにてサーミスタを保護し、さらにサーミスタのリード線を、ホルダにあけた透孔からホルダ上面に挿通させてから外部に引き出すようにしたものがある（例えば、特許文献１参照）。
【０００３】
また、サーミスタを取り付ける断熱板からなるホルダと、サーミスタを保護する通気孔付きカバーとを別体構成とし、前記ホルダ（断熱板）が熱交換器とサーミスタとの間に介在配置されるように、ホルダとカバーとを室外機の熱交換器の伝熱管のＵ字管部分に一対のＵ字管挟持片とこれらを止着するネジにより取り付けることで、サーミスタに対する熱交換器の輻射熱の影響を低減できるようにしたものがある（例えば、特許文献２参照）。
【０００４】
【特許文献１】特開２００３ー１８５１８７（図２）
【特許文献２】特開平１１ー１４８６９７（図１）
【発明の開示】
【発明が解決しようとする課題】
【０００５】
しかしながら、風の流れに平行となるようにホルダ下面にサーミスタを取り付けるとともに、サーミスタのリード線を、ホルダにあけた透孔からホルダ上面に挿通させて配線するようにしたものにあっては、サーミスタへの風の流れが阻害されるため、サーミスタの外気温度検知精度が低いという難点があるばかりでなく、前記配線の関係で熱交換器からホルダを取り外さなければサーミスタの取付、取り外しができず、サーミスタを交換する際の作業効率が悪いという問題があった。
【０００６】
また、サーミスタを取り付けるホルダ（断熱板）と、サーミスタを保護するカバーとを別体構成とし、ホルダ（断熱板）が熱交換器とサーミスタとの間に介在配置されるように、ホルダとカバーとを室外機の熱交換器へネジ止めするようにしたものにあっても、サーミスタへの風の流れがホルダ（断熱板）によって阻害されるため、サーミスタの外気温度検知精度が低いという難点があり、さらにホルダとカバーとが別体からなり互いにネジ止めされるように構成されているため、ホルダとカバーとを分離して熱交換器から取り外さなければサーミスタの取付、取り外しができず、サーミスタを交換する際の作業効率が悪いという問題があった。
【０００７】
本発明の技術的課題は、サーミスタの外気温度検知精度を向上させることができるようにするとともに、サーミスタの取付、取り外しを、熱交換器からホルダを取り外すことなく行えるようにすることにある。
【課題を解決するための手段】
【０００８】
本発明に係る空気調和機の室外ユニットは、室外機の熱交換器に吸い込まれる外気の温度を検知するサーミスタと、熱交換器の周縁部と係合可能な引掛け部とサーミスタを固定するための台座とこの台座間を含む複数箇所に形成された縦長スリット状および横長スリット状の通気孔とを有し、引掛け部を熱交換器の周縁部と係合させることで、熱交換器の外気吸引側に配置され、台座にサーミスタを固定することで、サーミスタを通気孔を通って熱交換器に吸い込まれる外気の流れに対し交差する向きに配置するホルダ本体と、複数箇所に設けられた横長スリット状の通気孔を有し、熱交換器の外側へ回動可能にホルダ本体に結合されてサーミスタの前面を保護するカバーと、から構成されるサーミスタのホルダと、を備えたものである。
【発明の効果】
【０００９】
本発明の空気調和機の室外ユニットによれば、室外機の熱交換器に吸い込まれる外気の温度を検知するサーミスタと、熱交換器の周縁部と係合可能な引掛け部とサーミスタを固定するための台座とこの台座間を含む複数箇所に形成された縦長スリット状および横長スリット状の通気孔とを有し、引掛け部を熱交換器の周縁部と係合させることで、熱交換器の外気吸引側に配置され、台座にサーミスタを固定することで、サーミスタを通気孔を通って熱交換器に吸い込まれる外気の流れに対し交差する向きに配置するホルダ本体と、複数箇所に設けられた横長スリット状の通気孔を有し、熱交換器の外側へ回動可能にホルダ本体に結合されてサーミスタの前面を保護するカバーと、から構成されるサーミスタのホルダと、を備えたので、カバーの通気孔から進入した風が、ストレート状にホルダ本体の通気孔を通過して熱交換器に吸い込まれる。このため、サーミスタと接触する風の量が増えてサーミスタの外気温度検知精度を向上させることができる。さらに、カバーを外側に回動させてホルダ本体の前面を開放させることで、熱交換器からホルダを取り外すことなくサーミスタの取付、取り外しを行うことができるので、作業効率を向上させることができる。
【発明を実施するための最良の形態】
【００１０】
以下、図示実施形態に基づき本発明を説明する。
図１は本発明の一実施形態に係る空気調和機の室外ユニットを示す背面斜視図、図２はそのサーミスタのホルダを半開きにした状態で示す拡大斜視図、図３はその熱交換器とサーミスタのホルダとの関係を示す側面図、図４はその熱交換器とサーミスタのホルダと室外機のトップパネルとの関係を示す断面図、図５はそのサーミスタのホルダとサーミスタとサーミスタのリード線およびリード線保護チューブとの関係を示す断面図、図６はそのサーミスタのホルダを完全に開いた状態で示す正面図、図７はそのサーミスタのホルダと熱交換器のサイドプレートとの関係をホルダを閉じた状態で示す正面図である。
【００１１】
本実施形態の空気調和機の室外ユニットは、熱交換器１の背面左上にサーミスタのホルダ２が取付けられている。ホルダ２は、サーミスタ３を固定するための台座１２を備えたホルダ本体４と、縦方向前方（熱交換器の外側）へ回動可能にホルダ本体４の下縁にヒンジ５により取り付けられてサーミスタ３の前面を保護するカバー６とで構成される。
【００１２】
これを更に詳述すると、ホルダ本体４には、その上部にコ字状の引掛け部７が延出して形成され、引掛け部７が熱交換器１の周縁部（ここでは上縁部）と係合できるようになっていて、引掛け部７を熱交換器１の上縁に引掛けることで、ホルダ２を熱交換器１の外気吸引側に設置できるようになっている。また、ホルダ本体４には、サーミスタ３の背面側となる台座１２間を含む複数箇所に、縦長スリット状および横長スリット状の通気孔１３が形成されており、台座１２に取り付けたサーミスタ３が、通気孔１３を通って熱交換器１に吸い込まれる外気の流れに対し交差する向きに配置されるようになっている。また、カバー６にも、複数箇所に横長スリット状の通気孔１４が設けられており、カバー６の通気孔１４から進入した風が、ストレート状にホルダ本体４の通気孔１３を通過して熱交換器１に吸い込まれるようになっている。このため、サーミスタ３と接触する風の量が増えてサーミスタの外気温度検知精度が向上する。また、サーミスタ３を交換する際には、カバー６を外側に回動させてホルダ本体４の前面を開放させるだけで、熱交換器１からホルダ２を取り外すことなくサーミスタ３の取付、取り外しを行うことができ、作業効率が向上する。
【００１３】
ところで、サーミスタ３は取扱を間違えると故障の原因となるため、空気調和機の使用者の手に簡単に触れられるのを避ける必要がある。そのため、本実施形態では、図４のようにホルダ２の上部に室外ユニットのトップパネル８を覆い被せるように配置するとともに、カバー６の自由端に突起９を設け、カバー６を閉じた状態で、突起９が室外機のトップパネル８の周縁部８ａの内側に係合可能に配置され、かつ隠蔽されるようにしている。これにより、使用者にはそこにサーミスタ３が設置されていることが分からず、また例えそこに何かが設置されていることが認識されたとしても、カバー６がトップパネル８の周縁部８ａによってロック状態下におかれているので、開けることができず、いたずらされるのを未然に防止することができる。
【００１４】
また、図２及び図５のようにサーミスタ３のリード線１０の保護チューブ１１のホルダ２からの引き出し部２０を、ホルダ本体４とカバー６の合わせ目に形成し、これらホルダ本体４とカバー６によって保護チューブ１１を挾持可能に構成している。これにより、保護チューブ１１の位置決めに例えばねじ等を必要とする別体からなる位置決め部材等を不要とすることができて、その分、部品点数を減らすことができて、組立て作業性を向上させることができる。
【００１５】
また、図２、図６及び図７に示すようにホルダ本体４には、その上部に、側方に延出して先端がコ字状に折り返された位置決め部１７が一体に形成され、位置決め部１７が熱交換器１のサイドプレート１５の爪１６と係合してホルダ本体４の左右方向の位置決めを行うようになっている。これにより、ホルダ２の左右方向の取付位置の調整が簡単となり、熱交換器１へのホルダ２の取付作業が容易となる。
【図面の簡単な説明】
【００１６】
【図１】本発明の一実施形態に係る空気調和機の室外ユニットを示す背面斜視図である。
【図２】本発明の一実施形態に係る空気調和機の室外ユニットのサーミスタのホルダを半開きにした状態で示す拡大斜視図である。
【図３】本発明の一実施形態に係る空気調和機の室外ユニットの熱交換器とサーミスタのホルダとの関係を示す側面図である。
【図４】本発明の一実施形態に係る空気調和機の室外ユニットの熱交換器とサーミスタのホルダと室外機のトップパネルとの関係を示す断面図である。
【図５】本発明の一実施形態に係る空気調和機の室外ユニットのサーミスタのホルダとサーミスタとサーミスタのリード線およびリード線保護チューブとの関係を示す断面図である。
【図６】本発明の一実施形態に係る空気調和機の室外ユニットのサーミスタのホルダを完全に開いた状態で示す正面図である。
【図７】本発明の一実施形態に係る空気調和機の室外ユニットのサーミスタのホルダと熱交換器のサイドプレートとの関係をホルダを閉じた状態で示す正面図である。
【符号の説明】
【００１７】
１  室外機の熱交換器、２  ホルダ、３  サーミスタ、４  ホルダ本体、５  ヒンジ、６  カバー、７  引掛け部、８ａ  トップパネル周縁部、９  突起、１０  リード線、１１  保護チューブ、１２  台座、１３，１４  通気孔、１７  位置決め部、２０  引き出し部。
【図１】
0004611875.tif 000002
【図２】
0004611875.tif 000003
【図３】
0004611875.tif 000004
【図４】
0004611875.tif 000005
【図５】
0004611875.tif 000006
【図６】
0004611875.tif 000007
【図７】
0004611875.tif 000008